(57)【要約】【課題】防水性の安定化を図ったケース本体とカバーとの固定構造を提供する。【解決手段】内部に設けられた押しボタンスイッチ１６に対向する部分に開口部１１が設けられたケース本体１０と、開口部１１を塞ぐ柔軟性を有するカバー２０との固定構造において、カバー２０は、ケース本体１０対して、開口部１１の開口端縁の周囲に沿ってケース本体１０の外壁面側から接合するように一体成形されると共に、カバー２０にはケース本体表面に向かって突出する凸部２１が開口端縁の少なくとも一部に沿って設けられ、かつケース本体１０には凸部２１が充填される凹部１４が設けられることを特徴とする。【選択図】図３
2009129543.tif 000002
【特許請求の範囲】
【請求項１】
内部に設けられた押しボタンスイッチに対向する部分に開口部が設けられたケース本体と、前記開口部を塞ぐ柔軟性を有するカバーとの固定構造において、
前記カバーは、前記ケース本体に対して、前記開口部の開口端縁の周囲に沿って該ケース本体の外壁面側から接合するように一体成形されると共に、
前記カバーには前記ケース本体表面に向かって突出する凸部が前記開口端縁の少なくとも一部に沿って設けられ、かつ前記ケース本体には該凸部が充填される凹部が設けられることを特徴とするケース本体とカバーとの固定構造。
【請求項２】
前記凸部は一対設けられており、これら一対の凸部は、前記カバーにおいて前記押しボタンスイッチが押し込まれる際に押し込まれる部位を挟んだ両側の部分にそれぞれ設けられていることを特徴とする請求項１に記載のケース本体とカバーとの固定構造。
【請求項３】
前記ケース本体は、電動歯ブラシにおいて、その内部に駆動源が収納される筒状の部材であり、
前記カバーは、外部側から該カバーを介して前記押しボタンスイッチを押すことを可能にしつつ、前記開口部を塞ぐように設けられていることを特徴とする請求項１または２に記載のケース本体とカバーとの固定構造。
【発明の詳細な説明】
【技術分野】
【０００１】
本発明は、ケース本体に設けられた開口部を、柔軟性を有するカバーによって塞ぐためのケース本体とカバーとの固定構造に関するものである。
【背景技術】
【０００２】
各種電子機器においては、電源のオンオフなどを行うスイッチ操作部は、一般的に、機器本体における外部に露出する部位に設けられる。そして、例えば電動歯ブラシのように防水性を要する機器の場合、スイッチ操作部においても防水構造を採用する必要がある。そこで、開口部を有するケース本体の内部に押しボタンスイッチを配置して、開口部をエラストマーなどの柔軟性を有するカバーによって塞ぐことによって、カバーを介して押しボタンスイッチを操作するように構成された技術が知られている（特許文献１，２参照）。
【０００３】
このような技術においては、カバーをケース本体に対して一体成形することで、ケース本体とは別体のカバーをケース本体に取り付ける場合と比べて、製造工程を少なくすることができ、かつ、安定したシール性が得られ易い。
【０００４】
しかしながら、小型の機器の場合やカバーを設ける部位のスペースが小さい場合には、カバーとケース本体とを接合する部分の面積が小さくなって、十分な接合が難しい場合がある。このような場合には、十分なシール性が得られなかったり、繰り返しスイッチ操作を行うことでカバーがケース本体から剥がれてしまったりするおそれがある。
【特許文献１】特開平１−２４４７１０号公報
【特許文献２】特開平７−３１４５８０号公報
【発明の開示】
【発明が解決しようとする課題】
【０００５】
本発明の目的は、防水性の安定化を図った、ケース本体とカバーとの固定構造を提供することにある。
【課題を解決するための手段】
【０００６】
本発明は、上記課題を解決するために以下の手段を採用した。
【０００７】
すなわち、本発明のケース本体とカバーとの固定構造は、
内部に設けられた押しボタンスイッチに対向する部分に開口部が設けられたケース本体と、前記開口部を塞ぐ柔軟性を有するカバーとの固定構造において、
前記カバーは、前記ケース本体に対して、前記開口部の開口端縁の周囲に沿って該ケース本体の外壁面側から接合するように一体成形されると共に、
前記カバーには前記ケース本体表面に向かって突出する凸部が前記開口端縁の少なくとも一部に沿って設けられ、かつ前記ケース本体には該凸部が充填される凹部が設けられることを特徴とする。
【０００８】
本発明によれば、カバーはケース本体の外壁面側から接合するように一体成形されるので、内壁面側から接合される場合に比べて、カバーが外側から内側に向かって押し込まれてもケース本体から剥がれにくい。また、カバーには凸部が設けられ、ケース本体にはこの凸部が充填される凹部が設けられるので、カバーとケース本体との接合部分の面積を大きくすることで、これらの接合力を高めることができる。更に、カバーが外側から内側に向かって押し込まれる際に、凸部が凹部に引っ掛かるため、カバーがケース本体から剥が
れにくい。以上のように、カバーがケース本体から剥がれてしまうことを相乗的に抑制することができる。
【０００９】
前記凸部は一対設けられており、これら一対の凸部は、前記カバーにおいて前記押しボタンスイッチが押し込まれる際に押し込まれる部位を挟んだ両側の部分にそれぞれ設けられているとよい。
【００１０】
こうすることで、押しボタンスイッチが押し込まれた際には、カバーは、押し込まれる部位を挟んで両側の部分に設けられた凸部がそれぞれ凹部に引っ掛かる。従って、カバーがケース本体から剥がれてしまうことを効果的に抑制できる。
【００１１】
前記ケース本体は、電動歯ブラシにおいて、その内部に駆動源が収納される筒状の部材であり、
前記カバーは、外部側から該カバーを介して前記押しボタンスイッチを押すことを可能にしつつ、前記開口部を塞ぐように設けられているとよい。
【発明の効果】
【００１２】
以上説明したように、本発明によれば、防水性の安定化を図ることができる。
【発明を実施するための最良の形態】
【００１３】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１４】
本発明は、防水性を有する各種電子機器に応用可能であるが、以下の実施例では、電動歯ブラシを例にして説明する。
【００１５】
（実施例１）
図１〜図６を参照して、本発明の実施例１に係るケース本体とカバーとの固定構造について説明する。
【００１６】
＜電動歯ブラシ＞
図１を参照して、本発明の実施例に係る電動歯ブラシについて説明する。図１は本発明の実施例に係る電動歯ブラシの斜視図である。
【００１７】
本実施例に係る電動歯ブラシ１００は、歯磨き時に手で握る部分となり、かつ、内部に電源や駆動機構が収納されるケース本体１０と、駆動機構によって振動するブラシ部品３０とを備えている。ブラシ部品３０は消耗品であり、ケース本体１０に対して着脱自在に構成されている。また、ケース本体１０の外装には、電源のオンオフなどの操作を行うスイッチ操作部１５が設けられている。
【００１８】
＜ケース本体＞
図２を参照して、ケース本体１０について詳しく説明する。図２は本発明の実施例１に係るケース本体の斜視図である。
【００１９】
ケース本体１０は、その内部に不図示の電源や駆動機構が収納される筒状の部材である。このケース本体１０は、ＡＢＳ樹脂などの硬質材によって構成される。そして、ケース本体１０において、スイッチ操作部１５が設けられる部位には、長方形状の開口部１１が設けられている。この開口部１１は、後に詳細に説明するように、カバー２０によって塞
がれる。
【００２０】
また、この開口部１１の開口端縁の周囲に沿って、カバー２０が接合される接合部１２が設けられている。この接合部１２は、ケース本体１０の外装表面よりも内部側に凹んだ部分に設けられる。これにより、カバー２０がケース本体１０に接合された状態では、カバー２０の表面とケース本体１０の外装表面との間には段差が生じない。
【００２１】
さらに、開口部１１の開口端縁の一部（より具体的には長方形の４辺のうち長手方向の２辺）に沿うように、一対のリブ１３が設けられている。本実施例においては、これら一対のリブ１３は、開口部１１の開口端縁に臨む位置に設けられている。そして、接合部１２の周囲の側壁面とリブ１３との間に凹部１４が形成されている。
【００２２】
＜ケース本体とカバーとの固定構造＞
特に、図３を参照して、本発明の実施例１に係るケース本体とカバーとの固定構造について詳しく説明する。図３は本発明の実施例１に係る電動歯ブラシの模式的断面図である。ただし、図３においては、電動歯ブラシのうち、ケース本体，カバー及び押しボタンスイッチを含む主要構成部材についてのみ示している。
【００２３】
ケース本体１０の内部には、電源のオンオフなどを行う押しボタンスイッチ１６が設けられている。ケース本体１０に設けられる開口部１１は、この押しボタンスイッチ１６に対向する部分に設けられる。
【００２４】
そして、この開口部１１は、ケース本体１０に対して一体成形（二色成形あるいは異材成形ともいう）により接合されるカバー２０によって塞がれる。従って、ケース本体１０の内部への水などの浸入を防止することができる。このカバー２０は、エラストマーなどの柔軟性を有する材料によって構成される。また、このカバー２０は、開口部１１の開口端縁の周囲に沿って設けられた接合部１２に対して一体成形により接合される。つまり、カバー２０は、ケース本体１０の外壁面側（外装表面側）に接合される。
【００２５】
また、カバー２０には、ケース本体表面に向かって突出する一対の凸部２１が設けられている。この凸部２１は、ケース本体１０に設けられた凹部１４に充填されるように設けられる。従って、この凸部２１は、開口部１１の開口端縁の一部（より具体的には長方形の４辺のうち長手方向の２辺）に沿うように設けられる。
【００２６】
以上の構成により、カバー２０が外部側から内部側（図３中、矢印Ｐ方向）に向かって押し込まれると、カバー２０を介して、押しボタンスイッチ１６が押される。なお、電動歯ブラシ１００の完成品においては、カバー２０の表面側に、デザイン等の関係上カバー２０を隠すように硬質材からなる部材が設けられるが（図１参照）、図３，４においては、説明の便宜上、当該部材を省略している。
【００２７】
＜本実施例の優れた点＞
図４〜図６を参照しつつ、本実施例に係るケース本体１０とカバー２０との固定構造の優れた点を説明する。図４は図３における一部拡大図である。図５は比較例に係る電動歯ブラシの模式的断面図である。ただし、図５においては、電動歯ブラシのうち、ケース本体，カバー及び押しボタンスイッチを含む主要構成部材についてのみ示している。図６は図５における一部拡大図である。なお、図５，６に示したものは、仮想技術に関するものである。
【００２８】
本実施例に係るケース本体１０とカバー２０との固定構造を採用することによって、ケース本体１０とカバー２０とを接合する部分のスペースが小さな場合でも、これらを十分
に接合することができる。これにより、カバー２０がケース本体１０から剥がれてしまうことを抑制でき、防水性を安定化させることができる。以下、この点について、詳しく説明する。
【００２９】
第一に、本実施例に係る固定構造においては、カバー２０がケース本体１０の外壁面側（外装表面側）から接合される構成を採用している。従って、カバーが内壁面側から接合される場合に比べて、カバーが外側から内側に向かって押し込まれてもケース本体から剥がれにくいという利点を有する。
【００３０】
すなわち、カバーがケース本体の内壁面側から接合される構成を採用する場合には、カバーが外側から内側に向かって押し込まれると、カバーとケース本体の接合部に対して、これらを離間させる方向に直接的に力が作用してしまう。これに対して、本実施例のように、カバー２０がケース本体１０の外壁面側から接合される構成を採用する場合には、カバー２０が外側から内側に向かって押し込まれると、カバー２０には、ケース本体１０の表面に沿った方向（図４中、矢印Ｑ方向）に力が作用する。従って、カバー２０とケース本体１０とを離間させる方向に直接的な力は作用しないため、カバー２０がケース本体１０から剥がれにくい。
【００３１】
第二に、本実施例に係る固定構造においては、カバー２０には凸部２１が設けられ、ケース本体１０にはこの凸部２１が充填される凹部１４が設けられる構成を採用している。従って、カバー２０とケース本体１０との接合部分の面積を大きくすることが可能となり、これらの接合力を高めることができる。
【００３２】
第三に、本実施例においては、上記の通り、凸部２１とこの凸部２１が充填される凹部１４が設けられる構成を採用しているため、カバー２０が外側から内側に向かって押し込まれる際に、凸部２１が凹部１４に引っ掛かることによっても、カバー２０がケース本体１０から剥がれにくいという利点がある。
【００３３】
この点について、仮想技術である図５及び図６に示す比較例と比較して説明する。この比較例においても、ケース本体５０に設けられた開口部５１を塞ぐようにカバー６０が一体成形によって接合されている。この比較例の場合には、カバー６０が接合される接合部５２には、リブは設けられておらず、凹部も形成されていない。そして、カバー６０側にも凸部は設けられていない。
【００３４】
この比較例の場合においても、カバー６０が外側から内側に向かって（図５中、矢印Ｐ方向）押し込まれると、カバー６０には、ケース本体５０の表面に沿った方向（図６中、矢印Ｑ方向）に力が作用する。この力が作用する方向は、カバー６０とケース本体５０とを離間させる方向ではないももの、この力に対する抗力となるのは、カバー６０とケース本体５０との接合部分の接合力のみである。
【００３５】
これに対して、本実施例の場合には、カバー２０が押し込まれて、カバー２０に対してケース本体１０の表面に沿った方向（図４中、矢印Ｑ方向）に力が作用した場合には、凸部２１が凹部１４に引っ掛かるように作用する。そのため、カバー２０とケース本体１０との接合部分（特に、凸部２１と凹部１４における接合部分）に対して作用する力を抑制することができる。
【００３６】
従って、本実施例の方が、比較例に比べて、カバー２０がケース本体１０から剥がれにくい。
【００３７】
また、本実施例においては、一対の凸部２１が、ケース本体１０における長方形状の開
口部１１の開口端縁のうち長手方向の２辺に沿うように設けられている。つまり、一対の凸部２１は、カバー２０において押しボタンスイッチ１６が押し込まれる際に押し込まれる部位を挟んだ両側の部分にそれぞれ設けられている。これにより、押しボタンスイッチ１６が押し込まれた際には、カバー２０は、押し込まれる部位を挟んで両側の部分に設けられた凸部２１がそれぞれ凹部１４に引っ掛かる。従って、カバー２０がケース本体１０から剥がれてしまうことを効果的に抑制できる。
【００３８】
なお、カバー２０が押し込まれた際に、カバー２０とケース本体１０との接合部に作用する力は、押し込まれた部分から距離が近いほど大きくなる。そこで、本実施例では、一対の凸部２１を、長方形状の開口部１１の開口端縁のうち（短手方向の２辺に比べて押し込まれる部位からの距離が近い）長手方向の２辺に沿うように設けることで、カバー２０がケース本体１０から剥がれてしまうことを効果的に防止している。
【００３９】
以上のように、カバー２０がケース本体１０から剥がれてしまうことを相乗的に抑制することができ、防水性を安定化させることができる。
【００４０】
（実施例２）
図７及び図８には、本発明の実施例２が示されている。上記実施例１では、開口部の開口端縁の一部に沿うように設けられるリブが、開口端縁に臨む位置に設けられる場合を示したが、本実施例では、リブが開口端縁から離れた位置に設けられる場合を示す。その他の構成および作用については実施例１と同一なので、同一の構成部分については同一の符号を付して、その説明は省略する。
【００４１】
図７は本発明の実施例２に係る電動歯ブラシの模式的断面図である。ただし、図７においては、電動歯ブラシのうち、ケース本体，カバー及び押しボタンスイッチを含む主要構成部材についてのみ示している。図８は図７における一部拡大図である。
【００４２】
本実施例に係るケース本体１０ａにおいては、開口部１１の開口端縁の一部に沿うように設けられるリブ１３ａが、上記実施例１の場合とは異なり、開口端縁から少し離れた位置に設けられている。
【００４３】
本実施例の構成を採用した場合においても、実施例１の場合と同様に、接合部１２の周囲の側壁面とリブ１３ａとの間には凹部１４が形成される。また、カバー２０には、実施例１の場合と同様に、凹部１４に充填される凸部２１が設けられる。
【００４４】
以上のことから、本実施例においても、上記実施例１の場合と同様の効果を得ることができる。
【図面の簡単な説明】
【００４５】
【図１】図１は本発明の実施例に係る電動歯ブラシの斜視図である。
【図２】図２は本発明の実施例１に係るケース本体の斜視図である。
【図３】図３は本発明の実施例１に係る電動歯ブラシの模式的断面図である。
【図４】図４は図３における一部拡大図である。
【図５】図５は比較例に係る電動歯ブラシの模式的断面図である。
【図６】図６は図５における一部拡大図である。
【図７】図７は本発明の実施例２に係る電動歯ブラシの模式的断面図である。
【図８】図８は図７における一部拡大図である。
【符号の説明】
【００４６】
１０，１０ａ  ケース本体
１１  開口部
１２  接合部
１３，１３ａ  リブ
１４  凹部
１５  スイッチ操作部
１６  押しボタンスイッチ
２０  カバー
２１  凸部
３０  ブラシ部品
５０  ケース本体
５１  開口部
５２  接合部
６０  カバー
１００  電動歯ブラシ
【図１】
2009129543.tif 000003
【図２】
2009129543.tif 000004
【図３】
2009129543.tif 000005
【図４】
2009129543.tif 000006
【図５】
2009129543.tif 000007
【図６】
2009129543.tif 000008
【図７】
2009129543.tif 000009
【図８】
2009129543.tif 000010